(57)【特許請求の範囲】
【請求項１】
タンク内の液体残量を検出し、この検出値に基づいた基準表示特性により表示手段を駆動制御する制御手段を備えた液体残量表示装置であって、
前記基準表示特性を補正可能とする複数の表示特性を記憶した記憶部と、
前記複数の表示特性のなかから前記基準表示特性を補正する一つの表示特性を選択する補正手段と、
前記制御手段から出力される前記基準表示特性に基づいた液体残量、前記記憶部に記憶された前記複数の表示特性及び前記補正手段により選択された前記一つの表示特性によって補正された液体残量を表示する第２の表示手段を備えたこと、
を特徴とする液体残量表示装置。
【請求項２】
タンク内の液体残量を検出し、この検出値に基づいた基準表示特性により表示手段を駆動制御する制御手段を備えた液体残量表示装置であって、
前記基準表示特性を上下にずらすことを可能とする複数の表示特性を記憶した記憶部と、前記タンク内の実際の燃料残量に基づいて前記基準表示特性に含まれる誤差を検出し、且つ、この誤差が予め設定された許容範囲内に収まるか否かを判断し、前記誤差が前記許容範囲から外れる場合には、前記基準表示特性を上下にずらす表示特性を選択し、前記誤差が前記許容範囲内に収まる場合には、前記基準表示特性を不変とする表示特性を選択する補正手段と、
前記制御手段から出力される前記基準表示特性に基づいた液体残量、前記記憶部に記憶された前記複数の表示特性及び前記補正手段により選択された前記一つの表示特性によって補正された液体残量を表示する第２の表示手段を備えたこと、
を特徴とする液体残量表示装置。
【請求項３】
前記タンク内に供給された供給量を入力する入力手段を更に有し、
前記第２の表示手段には、前記供給量と、前記供給量に基づいて算出された前記基準表示特性に含まれる誤差と、が表示されること、
を特徴とする請求項１又は２記載の液体残量表示装置。
【請求項４】
前記表示特性は、前記表示手段の表示領域毎に応じて設定されることを特徴とする請求項１乃至３のいずれか１項に記載の液体残量表示装置。
【請求項５】
前記補正手段は、少なくとも故障診断装置、或いはトリップメータリセットノブであることを特徴とする請求項１乃至３のいずれか１項に記載の液体残量表示装置。
【発明の詳細な説明】
【技術分野】
【０００１】
この発明は、車両の燃料残量表示装置に関するものである。
【背景技術】
【０００２】
通常、車両には、燃料タンク内の燃料残量を乗員に知らせるための燃料残量表示装置が備えられている。この燃料残量表示装置は、例えば、燃料タンク内の燃料残量をフューエルレベルセンサが抵抗値として検出し、その検出値をセンシングして得られた基準表示特性によって制御ユニットが指針式、或いは、数値表示式の燃料計を駆動制御するものである。
しかしながら、この従来の燃料残量表示装置にあっては、検出値をセンシングする側、つまり制御ユニット及び燃料計には、調整抵抗を選別して取り付けることにより個々のセンシング誤差を補正していた。従って、制御ユニット及び燃料計のセンシング誤差は補正されるが、基準表示特性に含まれる誤差、すなわちフューエルレベルセンサの検出誤差は補正していないという問題があった。
そして、フューエルレベルセンサの検出誤差は補正されないことによって、燃料残量表示装置全体の表示精度が低下するという問題が発生している。
【０００３】
ところで、特許文献１には、図４に示されるように、燃料タンクの容量に応じて燃料計１を駆動させるため、ＲＡＭ２に記憶格納するプログラムを書き換えることにより、燃料計１の指針３を駆動するための電流値を変更することが記載されている。しかしながら、このような方法にあっては、あくまでも指針３の駆動に関するものであり、フューエルレベルセンサの検出誤差を補正するものではないので、燃料残量表示装置全体の表示精度向上を図ることはできない。
【特許文献１】特開平０６−５５９５８号公報
【発明の開示】
【発明が解決しようとする課題】
【０００４】
そこで、本発明は、上記従来の車両の燃料残量表示装置が有している問題点を解決するためになされたものであって、より精度の高い車両用の燃料残量表示装置を提供することを目的とする。
【課題を解決するための手段】
【０００５】
請求項１に記載の発明は、上記目的を達成するために、タンク内の液体残量を検出し、この検出値に基づいた基準表示特性により表示手段を駆動制御する制御手段を備えた液体残量表示装置であって、前記基準表示特性を補正可能とする複数の表示特性を記憶した記憶部と、前記複数の表示特性のなかから前記基準表示特性を補正する一つの表示特性を選択する補正手段と、前記制御手段から出力される前記基準表示特性に基づいた液体残量、前記記憶部に記憶された前記複数の表示特性及び前記補正手段により選択された前記一つの表示特性によって補正された液体残量を表示する第２の表示手段を備えたことを特徴とする。
【０００６】
請求項２に係る発明は、上記目的を達成するために、タンク内の液体残量を検出し、この検出値に基づいた基準表示特性により表示手段を駆動制御する制御手段を備えた液体残量表示装置であって、前記基準表示特性を上下にずらすことを可能とする複数の表示特性を記憶した記憶部と、前記タンク内の実際の燃料残量に基づいて前記基準表示特性に含まれる誤差を検出し、且つ、この誤差が予め設定された許容範囲内に収まるか否かを判断し、前記誤差が前記許容範囲から外れる場合には、前記基準表示特性を上下にずらす表示特性を選択し、前記誤差が前記許容範囲内に収まる場合には、前記基準表示特性を不変とする表示特性を選択する補正手段と、前記制御手段から出力される前記基準表示特性に基づいた液体残量、前記記憶部に記憶された前記複数の表示特性及び前記補正手段により選択された前記一つの表示特性によって補正された液体残量を表示する第２の表示手段を備えたことを特徴とする。
【０００７】
請求項３に係る発明は、上記目的を達成するために、前記タンク内に供給される供給量を入力する入力手段を更に有し、前記第２の表示手段には、前記入力手段から入力された前記供給量と、前記供給量に基づいて算出された前記基準表示特性に含まれる誤差と、が表示されることを特徴とする。
【００１１】
請求項４に記載の発明は、上記目的を達成するために、請求項１乃至３のいずれか１項に記載の発明に加えて、前記表示特性は、前記表示手段の表示領域毎に応じて設定されることを特徴とする。
【００１２】
請求項５に記載の発明は、上記目的を達成するために、請求項１乃至３のいずれか１項に記載の発明に加えて、前記補正手段は、少なくとも故障診断装置、或いはトリップメータリセットノブであることを特徴とする。
【発明の効果】
【００１３】
請求項１に記載の発明によれば、基準表示特性を補正可能とする複数の表示特性を記憶した記憶部と、複数の表示特性のなかから基準表示特性を補正する一つの表示特性を選択する補正手段と、制御手段から出力される基準表示特性に基づいた液体残量、記憶部に記憶された複数の表示特性及び補正手段により選択された一つの表示特性によって補正された液体残量を表示する第２の表示手段を備えたことにより、基準表示特性に含まれる誤差、つまり表示手段に表示させる燃料残量の誤差は、その誤差に応じた表示特性が選択されることにより低減される。従って、燃料タンク内の燃料残量を検出した際の検出誤差が低減されることになるので、液体残量表示装置全体の表示精度の向上を図ることができる。
【００１４】
請求項２に記載の発明によれば、基準表示特性を上下にずらすことを可能とする複数の表示特性を記憶した記憶部と、タンク内の実際の燃料残量に基づいて基準表示特性に含まれる誤差を検出し、且つ、この誤差が予め設定された許容範囲内に収まるか否かを判断し、誤差が許容範囲から外れる場合には、基準表示特性を上下にずらす表示特性を選択し、誤差が許容範囲内に収まる場合には、基準表示特性を不変とする表示特性を選択する補正手段と、制御手段から出力される基準表示特性に基づいた液体残量、記憶部に記憶された複数の表示特性及び補正手段により選択された前記一つの表示特性によって補正された液体残量を表示する第２の表示手段を備えたことにより、基準表示特性に含まれる誤差、つまり表示手段に表示させる燃料残量の誤差が許容範囲から外れる場合には、基準表示特性を上下にずらすことにより、表示手段に表示させる燃料残量の誤差が低減される。従って、燃料タンク内の燃料残量を検出した際の検出誤差が低減されることになるので、燃料残量表示装置全体の表示精度の向上を図ることができる。
また、制御手段に基準表示特性を上下にずらすことを可能とする複数の表示特性を記憶させるので、制御手段の記憶容量の占有を防止することができる。従って、少ない記憶容量の制御手段の採用や表示特性のインストール作業の短縮化により、低コスト化を図ることができる。また、少ない記憶容量の制御手段でも液体残量表示装置の精度を向上させることができる。
【００１９】
請求項４に記載の発明によれば、表示特性は、表示手段の表示領域毎に設定される。これにより、請求項１乃至３のいずれか１項に記載の発明の作用効果に加えて、表示領域毎に表示特性を細かくセッティングすることができるので、表示手段が表示する燃料残量の誤差がより低減される。従って、燃料タンク内の燃料残量を検出した際の検出誤差がより低減されることになり、液体残量表示装置全体の表示精度のさらなる向上を図ることができる。
【００２０】
請求項５に記載の発明によれば、補正手段は、少なくともトリップメータリセットノブ、或いは故障診断装置とされている。これにより、請求項１乃至３のいずれか１項に記載の発明の作用効果に加えて、液体残量表示装置のメータ調整を容易に行うことができるようになる。
【００２１】
これらの結果、より精度の高い車両用の燃料残量表示装置を提供することができる。
【００２２】
また、車両状態での誤差補正ができるので、個々のユニットで誤差補正をする必要がなく、背景技術の説明部分で述べた「調整抵抗」による補正が不要となり、コストダウンが図れる。
【発明を実施するための最良の形態】
【００２３】
制御手段、或いは表示手段に基準表示特性を補正可能とする複数の表示特性を予め記憶させると共に、これら複数の表示特性のなかから基準表示特性に含まれる誤差を補正する表示特性を選択することによって、より精度の高い燃料残量表示装置を実現した。
【実施例１】
【００２４】
以下、本発明の最も好適と思われる一実施例を図１を用いて説明する。図１は、本燃料残量表示装置１の概略を説明するための構成図である。
【００２５】
まず、本燃料残量表示装置１について説明する。図１に示されるように、本燃料残量表示装置１は、図示しない燃料タンク内の燃料残量を検出する検出手段としてのフューエルレベルセンサ２と、フューエルレベルセンサ２が検出した検出値をセンシングする制御手段としての制御ユニット３と、制御ユニット３にアクセス可能に外部接続する選択手段としての故障診断装置（セレクトモニタ、スキャンツール、完成車両検査用の点検器のこと。以下では、セレクトモニタという）４と、制御ユニット３から出力される制御信号に基づいて指針５が燃料残量を指示するように駆動制御される表示手段としての指針式燃料計６と、これらフューエルレベルセンサ２、制御ユニット３、セレクトモニタ４及び指針式燃料計６を結ぶ車内ＬＡＮ等の通信手段７とを備えて構成されている。
【００２６】
フューエルレベルセンサ２は、燃料タンク内の燃料残量を検出するものであって、燃料タンク内の燃料を燃料供給系に供するフューエルポンプと一体化された状態で燃料タンク内に取り付けられている。このフューエルレベルセンサ２は、フロートと、このフロートの動きによって抵抗値の変化するポテンショメータ（いずれも図示せず）とを有している。ポテンショメータの検出する検出値（抵抗値）は、フロートの上昇、つまり燃料タンク内の液面の上昇に伴って減少し、また、フロートの下降に伴って増大するようになっている。そして、このフューエルレベルセンサ２が検出した検出値は、制御ユニット３に向かって出力される。
【００２７】
制御ユニット３は、例えば、エンジン制御ユニット、ボディ統合ユニット、車両システム制御ユニット等の車載制御ユニットの何れかとされている。
この制御ユニット３は、フューエルレベルセンサ２が出力した検出値を、指針式燃料計６を駆動制御する制御信号（以下、基準表示特性という）に変換するセンシング部８と、このセンシング部８から出力される基準表示特性に含まれる誤差、つまり、基準表示特性に基づいて指針式燃料計６が燃料残量を指示した際の指示誤差を過大表示、或いは過小表示して補正するための複数の表示特性を選択可能に記憶した不揮発性の記憶部９とを有している。この記憶部９に記憶された複数の表示特性は、例えば、＋５％（５％過大表示）から−５％（５％過小表示）までの範囲内で指示誤差を補正する１％刻みの表示特性とされている。
【００２８】
さらに、これら制御ユニット３及び指針式燃料計６は、それぞれ車両組み付け前の単品状態において、調整抵抗を選別して取り付けることによりセンシング誤差が補正されている。これにより、制御ユニット３のセンシング部８によって得られた基準表示特性に含まれる誤差、つまり基準指示特性に基づいて指針式燃料計６が燃料残量を指示した際の指示誤差は、フューエルレベルセンサ２の検出誤差にほぼ等しいものとして取り扱われる。
【００２９】
また、制御ユニット３の記憶部９に記憶された複数の表示特性のなかからフューエルレベルセンサ２の検出誤差を補正するための表示特性を選択するには、セレクトモニタ４が用いられる。このセレクトモニタ４と制御ユニット３との接続は、インストルメントパネルの運転席側下部に配設されたデータリンクコネクタ１０を介して行われる。
【００３０】
さらにまた、この制御ユニット３は、フューエルレベルセンサ２の検出誤差を補正する表示特性が選択されていない状態にあっては、基準表示特性を指針式燃料計６及びデータリンクコネクタ１０（つまり、セレクトモニタ４側）に向かって出力するように設定されている。これに対し、制御ユニット３は、複数の表示特性のなかから１つの表示特性が選択されると、その選択された表示特性を記憶部９に登録設定する。そして、その選択された表示特性によりフューエルレベルセンサ２の検出誤差を補正した補正値が、指針式燃料計６及びデータリンクコネクタ１０に向かって出力するように設定されている。
【００３１】
すなわち、制御ユニット３は、複数の表示特性のなかからフューエルレベルセンサ２の検出誤差をほぼ零とする表示特性が選択されると、フューエルレベルセンサ２の検出誤差をほぼ零とした補正値を指針式燃料計６及びデータリンクコネクタ１０に向かって出力する。これにより、燃料残量表示装置１全体の精度の向上が図られる。
【００３２】
セレクトモニタ４は、データリンクコネクタ１０を介して制御ユニット３の記憶部９にアクセス可能に接続するものである。
このセレクトモニタ４は、制御ユニット３から出力される基準表示特性、或いは、フューエルレベルセンサ２の検出誤差を補正した補正値に応じた燃料残量を数値表示すると共に、制御ユニット３の記憶部９に記憶された複数の表示特性の一覧も同時に表示可能とする表示部１１と、空の燃料タンクに給油した実際の燃料残量（この場合、給油量は規定量であることが好ましい）をセレクトモニタ４に入力可能とする入力部（例えば、操作ボタン）１２とを有している。
さらに、セレクトモニタ４は、入力部１２から入力された実際の燃料残量に基づいて表示部１１に表示した燃料残量の誤差を算出し、その誤差を表示部１１に表示可能としている。
【００３３】
さらにまた、入力部１２は、表示部１１に表示した複数の表示特性の一覧、つまり、制御ユニット３の記憶部９に記憶された複数の表示特性のなかから、何れかの表示特性を選択（登録設定）することを可能としている。
すなわち、表示部１１に表示した誤差、つまりフューエルレベルセンサ２の検出誤差をほぼ零に補正する表示特性を一覧のなかから選択すると、イグニションスイッチがオフとは異なる位置にあれば、フューエルレベルセンサ２の検出誤差をほぼ零に補正した補正値が制御ユニット３から常に出力されるようになる。
【００３４】
指針式燃料計６は、車速を示す速度計１３、１分あたりのエンジン回転数を示す回転速度計１４、走行距離や瞬間燃費を数値表示するオドトリップメータ１５、オドトリップメータ１５の表示切り替えを可能とするトリップメータリセットノブ１６等と共にメータ１７内に配設されている。この指針式燃料計６は、制御ユニット３が出力する基準表示特性、或いはフューエルレベルセンサ２の検出誤差を補正した補正値に応じて指針５が燃料残量を指示するように駆動制御されるように構成されている。
【００３５】
次に、上述した本燃料残量表示装置１のメータ調整（メータ指示誤差補正）について図２を用いて説明する。図２は、本燃料残量表示装置１のメータ調整の手順を示したフローチャートである。
【００３６】
まず、メータ調整は、車体組立ラインにて組み立てが完了した完成車両の空の燃料タンクに、予め設定された規定量、例えば、５．０Ｌの燃料を給油することから開始される（ステップ１０）。燃料タンクに規定量の燃料を給油したならば、インストルメントパネルの運転席側下部に配設されたデータリンクコネクタ１０にセレクトモニタ４を接続する（ステップ１１）。これら機器の接続が完了したら、イグニションキースイッチをオン（但し、エンジンオフ）にすると共に、セレクトモニタ４の電源をオンにする（ステップ１２）。
【００３７】
イグニションキースイッチをオンにすると、フューエルレベルセンサ２が燃料タンク内の燃料残量を検出し、その検出値は制御ユニット３に向かって出力される。すると、制御ユニット３は、センシング部８が入力された検出値を基準表示特性に変換すると共に、基準表示特性を指針式燃料計６及びセレクトモニタ４に出力する。指針式燃料計６の指針５は、基準表示特性に基づいて燃料タンク内の燃料残量の割合が空の状態に近いところを指示する。また、セレクトモニタ４の表示部１１は、基準表示特性に基づいた燃料残量、例えば、５．１Ｌを表示したとする（ステップ１３）。
【００３８】
ところで、これら制御ユニット３及び指針式燃料計６は、上述したように、それぞれ単品状態でセンシング誤差が補正されている。従って、セレクトモニタ４の表示部１１に表示された燃料残量５．１Ｌは、フューエルレベルセンサ２の検出誤差によるものにほぼ等しい。そこで、燃料タンクに給油した実際の燃料量が５．０Ｌであることを入力部１２からセレクトモニタ４に入力する（ステップ１４）。すると、セレクトモニタ４は、燃料タンク内の実際の燃料残量５．０Ｌに基づいて、フューエルレベルセンサ２による検出誤差、ここでは＋２％（２％過大表示）を求めると共に、その検出誤差をセレクトモニタ４の表示部１１に表示する（ステップ１５）。
【００３９】
そして、この２％過大表示する基準表示特性を２％過小表示してやれば、フューエルレベルセンサ２による検出誤差は見かけ上ほぼ零となり、その検出誤差は補正されたものとみなすことができる。そこで、セレクトモニタ４の入力部１２を介して、セレクトモニタ４に表示させている複数の表示特性のなかから２％過小表示する表示特性「−２％」を選択する（ステップ１６）。すると、制御ユニット３の記憶部９に記憶されている複数の表示特性のなかから基準表示特性を２％過小表示する表示特性が登録設定される（ステップ１７）。
【００４０】
これにより、制御ユニット３からは、フューエルレベルセンサ２による検出誤差を見かけ上ほぼ零となるように補正した補正値が常に出力されるようになる。
すなわち、２％過大表示する基準表示特性を２％過小表示するように補正するので、セレクトモニタ４の表示部１１は、燃料残量を５．０Ｌ、誤差を０％と表示する。また、指針式燃料計６の指針５は、フューエルレベルセンサ２の検出誤差を補正したほぼ正確な燃料残量を指示するように駆動制御される。
【００４１】
そして、フューエルレベルセンサ２の検出誤差を補正する表示特性を制御ユニット３に登録設定後、イグニションスイッチ及びセレクトモニタ４の電源をオフにすると共に（ステップ１８）、セレクトモニタ４をデータリンクコネクタ１０から外して（ステップ１９）、本燃料残量表示装置におけるメータ誤差調整は終了する。
【００４２】
このように本実施例にあっては、指針式燃料計６、セレクトモニタ４が表示する燃料残量の誤差は、その誤差を補正する表示特性が選択されることにより低減される。従って、燃料タンク内の燃料残量をフューエルレベルセンサ２が検出した際の検出誤差が低減されるので、指針式燃料計６の指示精度がより向上する。これにより、燃料残量表示装置１全体の表示精度の向上を図ることができる。
【実施例２】
【００４３】
ところで、上述した燃料残量表示装置１にあっては、複数の表示特性を制御ユニット３に記憶させておき、燃料残量表示装置１全体の誤差を確認後、その誤差を補正する適切な表示特性を選択することでフューエルレベルセンサ２の検出誤差の補正を行うものである。従って、フューエルレベルセンサ２の検出誤差を補正するための複数の表示特性を制御ユニット３に予め記憶させる必要がある。そのため、制御ユニット３の記憶部９、つまりＲＯＭやＥＥＰＲＯＭのメモリ容量を占有する量が増えてしまう。
【００４４】
そこで、制御ユニット３に、フューエルレベルセンサ２が出力した検出値を基準表示特性に変換して記憶するセンシング部８と、このセンシング部８から出力される基準表示特性を予め設定された設定量、例えば、＋２％（２％過大表示）、又は−２％（２％過小表示）だけ上下にずらすことが可能な記憶部９’とを有するようにする。すなわち、この記憶部９’は、センシング部８から出力される基準表示特性を上方に２％ずらして過大表示させるＡ特性、基準表示特性の補正は行わず、そのまま出力させるＢ特性、基準表示特性を下方に２％ずらして過小表示させるＣ特性を選択可能に予め記憶している。
【００４５】
さらに、セレクトモニタ４には、フューエルレベルセンサ２の検出誤差が予め設定された許容範囲内、例えば±２％以内に収まるか否かを判断し、検出誤差が許容範囲内に収まらない場合には、記憶部９’に記憶されたＡ特性又はＣ特性の何れか１つを適宜選択すると共に、検出誤差が許容範囲内に収まる場合には、記憶部９’に記憶されたＢ特性を選択する選択部１１’を有するようにする。
【００４６】
そして、セレクトモニタ４を介して、Ａ特性〜Ｃ特性のなかからフューエルレベルセンサ２の検出誤差に応じた特性、すなわち、２％以上過大表示する検出誤差の場合には、２％過小表示する表示特性であるＣ特性を選択する。また、２％以上過小表示してしまう場合には、２％過大表示する表示特性であるＡ特性を選択する。そして、±２％の範囲内に検出誤差か収まっている場合には、基準表示特性を補正しない表示特性であるＢ特性を選択する。
【００４７】
このように、本実施例にあっては、指針式燃料計６、セレクトモニタ４に表示させる燃料残量の誤差が許容範囲を超える場合には、その誤差に応じて表示特性を上下にずらすことにより、指針式燃料計６に表示させる燃料残量の誤差を低減する。従って、燃料タンク内の燃料残量をフューエルレベルセンサ２が検出した際の検出誤差が低減され、指針式燃料計６の指示精度がより向上する。これにより、燃料残量表示装置１全体の表示精度の向上を図ることができる。
さらに、指針式燃料計６、セレクトモニタ４が表示する燃料残量の誤差に応じて表示特性を上下にずらす構成なので、制御ユニット３の記憶容量を占有することが防止される。従って、少ない記憶容量の制御ユニットの採用や表示特性のインストール作業の短縮化により、低コスト化を図ることができる。また、少ない記憶容量の制御ユニット３でも燃料残量表示装置１の精度を向上させることができる。
【実施例３】
【００４８】
また、本燃料残量表示装置１にあっては、補正手段にセレクトモニタ４を用いたが、その構成に代えて、オドトリップメータ１５やナビゲーションシステムなどの車載表示装置、オンボード故障診断装置、トリップメータリセットノブ１６を用いてメータ調整を行うように構成することもできる。そして、このような車載表示装置等を用いた場合、例えば、以下の（１）〜（６）に記載した方法で、誤差補正モードに入るように構成される。
【００４９】
（１）オドトリップメータ１５に誤差補正モード（ダイアグモード）を予め設定しておき、図示しないダイアグコネクタを接続した状態で、イグニションキースイッチをＡＣＣにしておき、トリップメータリセットノブ１６を、例えば、１０回押す。つまり、通常では操作しない操作をすると誤差補正モードに入るようにする。
（２）ダイアグコネクタをアースに落としておき、イグニションキースイッチをＡＣＣで、トリップメータリセットノブ１６を予め設定された回数を押す。
（３）イグニションキースイッチをオンしてから設定時間以内にトリップメータリセットノブ１６を予め設定された回数を押す。
（４）イグニションキースイッチの位置に関わらず、トリップメータリセットノブ１６を押してから設定時間以内にドアスイッチを予め設定された回数だけオン〜オフ〜オンを繰り返す。
（５）イグニションキースイッチをオンした後、ナビゲーションシステムのスイッチを何か２つ、設定時間（数秒間）同時押しをすると、誤差補正モードに入ると共に、ナビ画面に誤差補正モードに入ったことを表示させる。
（６）その他、メータ１７で動作が検知できるスイッチや、表示器、コネクタ結合の組み合わせで、通常操作しない方法で誤差補正モードに入るようにする。
【００５０】
そして、誤差補正モードに入った状態で、オドトリップメータ１５（或いは、ナビ画面）に、制御ユニット３においてセンシングしている燃料残量をそのまま表示させる（例えば、５．１Ｌとセンシングしている場合、オドトリップメータに「５．１Ｌ」と表示させる）。そして、このような状態にあっては、誤差補正モードであることを作業者に分かりやすいように、オドトリップメータ１５の数値を点滅させてもよい。また、これと同時に、燃料残量警告灯１８や、指針式燃料計６廻りのメータリング１９を点滅させてもよい。
そして、オドトリップメータ１５の数値が実際の給油量に対して＋２％以上の値、例えば、５．０Ｌの給油量なのにセンシング値が５．１Ｌを表示していたならば、２％の過大表示となるのでＣ特性を設定する。
【００５１】
その特性の設定の手順としては、例えば、以下に示すものがある。
すなわち、オドトリップメータ１５が燃料残量を表示している状態でトリップメータリセットノブ１６を１回短い時間押すと、オドトリップメータ１５は、Ａ特性を表すＡの文字を点滅させ、Ａ特性を設定した状態における燃料残量の数値（この場合５．２Ｌ）を表示する。
その状態で、さらにトリップメータリセットノブ１６を１回短い時間押すと、オドトリップメータ１５は、Ｂ特性を表すＢの文字を点滅させ、Ｂ特性をセレクトした時の補正無しの燃料残量（この場合、５．１Ｌ）を表示する。
さらに、トリップメータリセットノブ１６を１回短い時間押すと、オドトリップメータ１５は、Ａ，Ｂを両方点滅させ、Ｃ特性を選択した時の燃料残量（この場合、５．０Ｌ）を表示する。
そして、Ａ〜Ｃのうちのいずれかの特性を表示している状態で、トリップメータリセットノブ１６を設定時間長押しすると、その表示している特性が登録設定される。
【実施例４】
【００５２】
ところで、上述したこれらのメータ調整は、作業者がフューエルレベルセンサ２の検出誤差を確認し、その後、複数の表示特性のなかから検出誤差を補正する表示特性を選択するものである。従って、作業者の操作ミスを防止するためにも、表示特性の選択を自動化することが望まれる。
そこで、具体的には、最初５．０Ｌ給油することだけ守れば、誤差補正モードに入ったときに、センシングした値が５．０Ｌになる様に、表示特性を自動的に選択することで、最適な特性とする選択部２０、或いは、表示特性を自動的に上下にずらすことで、最適な特性とする設定部２０’をセレクトモニタ４に代表される補正手段に具備してもよい。
これにより、燃料残量の誤差に応じた表示特性を選択する際の人為的な選択ミスを簡単に防止することができる。また、燃料残量表示装置１全体の表示精度調整を短縮化することができる。
【００５３】
なお、本実施例にあっては、いずれも、制御ユニット３に記憶部９，９’を設けるように構成されているが、これに限定されるものではない。すなわち、制御ユニット３に記憶部９，９’を設けた構成に代えて、図３に示されるように、表示手段としての指針式燃料計６に記憶部９，９’を設けるようにしてもよい。これによっても、指針式燃料計６に表示させる燃料残量の誤差は、その誤差に応じた表示特性が選択されることにより低減される。従って、燃料タンク内の燃料残量を検出した際の検出誤差が低減されることとなり、燃料残量表示装置１全体の表示精度の向上を図ることができる。
【００５４】
また、表示特性を指針式燃料計６の表示領域毎、例えば、満タン側、空側に応じて細かく設定してもよい。これによれば、表示領域毎に表示特性を細かくセッティングすることができるので、指針式燃料計６が表示する燃料残量の誤差がより低減される。従って、燃料タンク内の燃料残量を検出した際の検出誤差がより低減されることとなり、燃料残量表示装置１全体の表示精度のさらなる向上を図ることができる。
【００５５】
なお、本発明の表示手段は、指針式燃料計６に限られるものではなく、数値表示式燃料計にも適用することができる。
また、本発明は、燃料タンク内の液状の燃料残量を表示する燃料残量表示装置にのみ適用されるものではない。すなわち、液体状の燃料のみならず、エンジンオイル、パワステオイル、ＡＴＦオイル、ブレーキオイル等のオイル類やエンジン冷却水等の液面低下を検出するものにも適用することができる。
【図面の簡単な説明】
【００５６】
【図１】本燃料残量表示装置の概略を説明するための構成図である。
【図２】本燃料残量表示装置のメータ調整の手順を示したフローチャートである。
【図３】同例とは異なる燃料残量表示装置の概略を説明するための構成図である。
【図４】従来の燃料残量表示装置の概略を説明するための構成図である。
【符号の説明】
【００５７】
１    燃料残量表示装置
３    制御ユニット（制御手段）
４    セレクトモニタ（補正手段）
６    指針式燃料計（表示手段）
９，９’  記憶部
１５  オドトリップメータ（表示手段）
１６  トリップメータリセットノブ（補正手段）
２０，２０’  選択部
【図１】
0004718783.tif 000002
【図２】
0004718783.tif 000003
【図３】
0004718783.tif 000004
【図４】
0004718783.tif 000005